(57)【要約】【課題】フィルターおよび換気扇を作業性良く容易に交換することができ、フィルターユニットがどの方向からでも引き出しできる換気扇取付装置を提供する。【解決手段】建物の室内１側の壁２に設けられて外周にフランジ３を有した箱状の枠体４と、枠体４の周囲方向の面５には開口部６を有し、前面には換気扇取付窓部７とボルト８を有し、枠体４内部にはフィルターユニット９を有し、枠体４の周囲からフィルターユニット９を着脱自在とすることを特徴とする換気扇取付装置により、フィルターおよび換気扇を作業性良く容易に交換することができ、フィルターユニットがどの方向からでも引き出しできる。【選択図】図１
2010196941.tif 000002
【特許請求の範囲】
【請求項１】
建物の室内側の壁面に設けられて外周にフランジを有した箱状の枠体と、前記枠体の周囲方向の面には開口部を有し、前面には換気扇取付窓部とボルトを有し、前記枠体内部にはフィルターユニットを有し、前記枠体の周囲から前記フィルターユニットを着脱自在とすることを特徴とする換気扇取付装置。
【請求項２】
フィルターユニットに、枠体の開口部を塞ぐ蓋を設け、前記蓋と枠体とを嵌合解除接続できるプラグを設け、前記フィルターユニットの蓋には取手を設けたことを特徴とする請求項１記載の換気扇取付装置。
【請求項３】
枠体の開口部の周辺に、フィルターユニットの蓋の厚み分が収納できる隙間を有した蓋はさみ治具を複数個設け、前記フィルターユニットの蓋に取手を設けたことを特徴とする請求項１記載の換気扇取付装置。
【請求項４】
フィルターユニットを、上部が開口したフィルター外枠と、前記フィルター外枠と嵌合するフィルター内枠と、フィルターとで構成したことを特徴とする請求項１〜３のいずれかに記載の換気扇取付装置。
【請求項５】
フィルター外枠とフィルター内枠に、格子を有したフィルター押枠を設けたことを特徴とする請求項１〜４のいずれかに記載の換気扇取付装置。
【請求項６】
フィルター押枠は、金属製の網で構成したことを特徴とする請求項５に記載の換気扇取付装置。
【請求項７】
フィルター外枠とフィルター内枠との係合は、一端にヒンジを設けて、他方に係止具を設けたことを特徴とする請求項１〜６のいずれかに記載の換気扇取付装置。
【請求項８】
フィルターユニットの外周部に、摺動性のある摺動部材を設けたことを特徴とする請求項１〜７のいずれかに記載の換気扇取付装置。
【請求項９】
枠体の周囲方向の面に、電線を取り出す引出穴を設けたことを特徴とする請求項１〜８のいずれかに記載の換気扇取付装置。
【請求項１０】
枠体の周囲に穴を設け、前記穴の出口側には枠体と着脱自在する箱を設けたことを特徴とする請求項１〜９のいずれかに記載の換気扇取付装置。
【請求項１１】
箱の表面に、透明な窓を設けたことを特徴とする請求項１０に記載の換気扇取付装置。
【発明の詳細な説明】
【技術分野】
【０００１】
本発明は、主に工場や業務用に用いる施設内の空気を排気したり、また施設内に空気を取り入れるために、建物の壁に形成された貫通孔に換気扇を取り付けるための換気扇取付装置であって、集塵機能を有した換気扇取付装置に関する。
【背景技術】
【０００２】
従来、この種の換気扇取付装置は、建物の壁に形成された貫通孔に換気扇を取り付けるため、内部に換気扇を収容するＬ字形の筒体を備え、この筒体は壁に取り付けたとき壁の内側に位置する内側開口部と壁の外側に位置する下向きの外側開口部とを有し、内側開口部は蓋により開閉自在に覆われるとともに、内側開口部または外側開口部にフィルターを着脱自在に取り付けるように構成したものが知られている（例えば、特許文献１参照）。
【０００３】
以下、従来の換気扇取付装置について図１４を参照にしながら説明する。
【０００４】
図に示すように、建物の壁１０１に形成された貫通孔１０２に換気扇１０３を取り付けるため、内部に換気扇１０３を収容するＬ字形の筒体１０４を備え、この筒体１０４は壁１０１に取り付けたとき壁１０１の内側に位置する内側開口部１０６と壁１０１の外側に位置する下向きの外側開口部１０７とを有し、内側開口部１０６は蓋１０８により開閉自在に覆われるとともに、内側開口部１０６または外側開口部１０７にフィルター１０９を着脱自在に取り付けるように構成したものである。
【特許文献１】特開平８−２８５３３９号公報
【発明の開示】
【発明が解決しようとする課題】
【０００５】
このような従来の換気扇取付装置が設置される場所は、主に、工場や業務用の施設内であり、装置の目的は、工場の稼働や業務上で発生した施設内の汚染空気を屋外に排気する際、汚染空気を直接排出させないようフィルター１０９を介して集塵をする。また、工場で商品を生産する際に、商品に埃などが付かないように、工場内の空気をクリーンに保つため、外気の空気を取り入れる際、空気をフィルター１０９で集塵、清浄させて、空気を取り入れる。このような施設では、施設内をクリーンにするため、換気扇１０３は常時運転（２４時間連続運転）する必要があり、換気扇１０３の耐久寿命が早くくるため、数年で換気扇１０３を交換する必要がある。このような従来の換気扇取付装置では、換気扇１０３を取り外すには、換気扇１０３を取り外す前に、蓋１０８や、フィルター１０９、あるいは筒体１０４などを取り外す必要があり、作業性が悪く、換気扇１０３の交換が簡単にできるものではなかった。
【０００６】
一方、換気扇取装置を設置する際、設置する工場施設の壁１０８には梁などがあり、フィルター１０９の交換の際、フィルター１０９が下から引き出せない設置場所がある。そのため、壁の周囲の状況にかかわらず、フィルター交換をするため、フィルターの引出方向がどの方向からでも引き出しできるフィルターを有した換気扇取付装置が必要とされているが、従来はこのような課題に対応できる解決方法がなかった。
【０００７】
本発明は、このような従来の課題を解決するものであり、換気扇の交換が簡単に行え、また、フィルターを作業性良く容易に交換することができ、さらに、フィルターが周囲のどの方向からでも引き出しできるフィルターを有した換気扇取付装置を提供することを目的とする。
【課題を解決するための手段】
【０００８】
本発明の換気扇取付装置は、上記目的を達成するために、建物の室内側の壁面に設けられて外周にフランジを有した箱状の枠体と、前記枠体の周囲方向の面には開口部を有し、前面には換気扇取付窓部とボルトを有し、前記枠体内部にはフィルターユニットを有し、前記枠体の周囲から前記フィルターユニットを着脱自在とするものである。
【０００９】
また、他の手段は、フィルターユニットに、枠体の開口部を塞ぐ蓋を設け、前記蓋と枠体とを嵌合解除接続できるプラグを設け、前記フィルターユニットの蓋には取手を設けたものである。
【００１０】
また、他の手段は、枠体の開口部の周辺に、フィルターユニットの蓋の厚み分が収納できる隙間を有した蓋はさみ治具を複数個設け、前記フィルターユニットの蓋に取手を設けたものである。
【００１１】
また、他の手段は、フィルターユニットを、上部が開口したフィルター外枠と、前記フィルター外枠と嵌合するフィルター内枠とフィルターで構成したものである。
【００１２】
また、他の手段は、フィルター外枠とフィルター内枠に、格子を有したフィルター押枠を設けたものである。
【００１３】
また、他の手段は、フィルター押枠は金属製の網で構成したものである。
【００１４】
また、他の手段は、フィルター外枠とフィルター内枠との係合は、一端にヒンジを設けて、他方に係止具を設けたものである。
【００１５】
また、他の手段は、フィルターユニットの外周部に、摺動性のある摺動部材を設けたものである。
【００１６】
また、他の手段は、枠体の周囲方向の面に、電線を取り出す引出穴を設けたものである。
【００１７】
また、他の手段は、枠体の周囲に穴を設け、前記穴の出口側には枠体と着脱自在する箱を設けたものである。
【００１８】
また、他の手段は、箱の表面に、透明な窓を設けたものである。
【発明の効果】
【００１９】
本発明によれば、建物の室内側の壁面に設けられて外周にフランジを有した箱状の枠体と、前記枠体の周囲方向の面には開口部を有し、前面には換気扇取付窓部とボルトを有し、前記枠体内部にはフィルターユニットを有し、前記枠体の周囲から前記フィルターユニットを着脱自在とすることにより、フィルターの交換の時、枠体あるいは換気扇を外すことなく、フィルターの交換が行えるので、作業性良く容易にフィルターを交換することができるという効果があり、また換気扇を交換する際に蓋や、フィルター、枠体など換気扇以外のものを外すことなく換気扇の交換ができる換気扇取付装置を提供することができる。また枠体の周囲からフィルターユニットを着脱自在としているので、換気扇取付装置の取り付け向きを、フィルターユニットの取り出ししたい方向に取りつけることで、壁の周囲の状況によってフィルターユニットを枠体に対し上下左右のどの方向から引き出すことができる。
【００２０】
また、フィルターユニットに、枠体の開口部を塞ぐ蓋を設け、前記蓋と枠体とを嵌合解除接続できるプラグを設け、前記フィルターユニットの蓋には取手を設けたことにより、枠体とフィルターユニットとの嵌合解除が容易にできるという効果のある換気扇取付装置を提供することができる。
【００２１】
また、枠体の開口部の周辺に、フィルターユニットの蓋の厚み分が収納できる隙間を有した蓋はさみ治具を複数個設け、前記フィルターユニットの蓋に取手を設けたことにより、フィルターユニットを枠体から外す時、取手を持って、ひねり、スライドして引き出すことにより枠体からフィルターユニットを取り外し片手でフィルターユニットを取り外すことができるので、作業性を向上させることができるという効果のある換気扇取付装置を提供することができる。
【００２２】
また、フィルターユニットを、上部が開口したフィルター外枠と、前記フィルター外枠と嵌合するフィルター内枠と、フィルターとで構成したことにより、フィルターが目詰まりするなどフィルターを交換する時期になったとき、ユーザーはフィルターのみを購入し、フィルター交換できるので、低コストでフィルター交換ができるという効果のある換気扇取付装置を提供することができる。
【００２３】
また、フィルター外枠とフィルター内枠に、格子を有したフィルター押枠を設けたことにより、フィルターの変形が抑えられるため、フィルターの耐久性が向上できるという効果のある換気扇取付装置を提供することができる。
【００２４】
また、フィルター押枠は、金属製の網で構成したことにより、よりフィルターの変形が抑えられるため、フィルターの耐久性が更に向上できる。また格子を製作するために大型のプレス機を使用する必要がないため、商品を安価に製作できるという効果のある換気扇取付装置を提供することができる。
【００２５】
また、フィルター外枠とフィルター内枠との係合は、一端にヒンジを設けて、他方に係止具を設けたことにより、工具を用いないでフィルターの交換ができるので、メンテナンスを向上することができるという効果のある換気扇取付装置を提供することができる。
【００２６】
また、フィルターユニットの外周部に、摺動性のある摺動部材を設けたことにより、枠体からフィルターユニットを取り外す際、擦り傷が発生するのを防止できるので、換気扇取付装置の塗装に傷がつくことがなく、錆の発生防止することができるという効果のある換気扇取付装置を提供することができる。
【００２７】
また、枠体の周囲方向の面に、電線を取り出す引出穴を設けたことにより、建物の貫通孔に設置された電気を使用する機器の電線を枠体の周囲方向の面の引出穴から取り出すことができるので、電気を使用する機器の電線を雨などがかかる屋外に設置することなく、屋内の接続部に接続することができるという効果のある換気扇取付装置を提供することができる。
【００２８】
また、枠体の周囲に穴を設け、前記穴の出口側には枠体と着脱自在する箱を設けたことにより、空気中の水分をフィルターが捕集する際、フィルターが水分を捕集する許容量を超えた場合でも、水分を箱に貯めることができるので、枠体から水分が滴下するのを防止することができるという効果のある換気扇取付装置を提供することができる。
【００２９】
また、箱の表面に、透明な窓を設けたことにより、箱を外さない状態で、常に箱にたまった水分の量を見ることができるので、水分が箱からあふれる前に水分を捨てることができるという効果のある換気扇取付装置を提供することができる。
【発明を実施するための最良の形態】
【００３０】
本発明の請求項１記載の換気扇取付装置は、建物の室内側の壁面に設けられて外周にフランジを有した箱状の枠体と、前記枠体の周囲方向の面には開口部を有し、前面には換気扇取付窓部とボルトを有し、前記枠体内部にはフィルターユニットを有し、前記枠体の周囲から前記フィルターユニットを着脱自在とすることとしたものであり、フィルターを作業性良く容易に交換することができ、さらに、フィルターが周囲のどの方向からでも引き出しでき、さらに、換気扇を交換する際には換気扇のみを取り外すことで、換気扇の交換が簡単に行えるという作用を有する。
【００３１】
また、フィルターユニットに、枠体の開口部を塞ぐ蓋を設け、前記蓋と枠体とを嵌合解除接続できるプラグを設け、前記フィルターユニットの蓋には取手を設けたことにより、枠体にフィルターユニットを嵌合させる時は、フィルターユニットの開口部を塞ぐ蓋と枠体とを接合させ、プラグを介して接合させ、解除させる時は、プラグを取り外して解除させることができるため、ユーザーが工具なしでフィルターユニットを着脱できるため、メンテナンス業者などに頼まなくても、ユーザー自らフィルターユニットの交換が行える。また、換気扇取付装置が高所にあった場合でも、工具を持たなくでもできるため、高所での作業が安全に行えるという作用を有する。
【００３２】
また、枠体の開口部の周辺に、フィルターユニットの蓋の厚み分が収納できる隙間を有した蓋はさみ治具を複数個設け、前記フィルターユニットの蓋に取手を設けたこととしたものであり、フィルターユニットを枠体から外す時、フィルターユニットの蓋を回転方向にひねり、蓋はさみ具から蓋を解放させ、フィルターユニットをスライドさせて引き出すことにより、片手だけでフィルターユニットを外すことができるという作用を有する。
【００３３】
また、フィルターユニットを、上部が開口したフィルター外枠と、前記フィルター外枠と嵌合するフィルター内枠と、フィルターとで構成したこととしたものであり、フィルターをフィルター外枠の内部に設置し、さらにその上にフィルター内枠がフィルターを押さえるようにフィルター外枠の内側に挿入され、フィルター外枠とフィルター内枠とを嵌合させることができるため、ユーザーがフィルターをフィルターユニットに着脱することができる。メンテナンスの際にはフィルターユニットを外し、フィルター外枠とフィルター内枠とを固定しているねじを外すことによりフィルターを外すことがでるため、フィルターが目詰まりしたり、汚れた場合、フィルターのみを購入し、新しいフィルターを入れ替えするだけで、メンテナンスできるので、ユーザーは最少の費用で交換が行えるという作用を有する。
【００３４】
また、フィルター外枠とフィルター内枠に、格子を有したフィルター押枠を設けたので、フィルターは、フィルター外枠とフィルター内枠のフィルター押枠の格子によって挟まれて固定されているために、換気扇の運転時に、風圧によってフィルターが押されても、フィルターが変形するのを防止するという作用を有する。
【００３５】
また、フィルター押枠は、金属製の網で構成したので、フィルターは金属製の網で挟まれて固定されているために、換気扇の運転時に、風圧によってフィルターが押されても、フィルターが変形するのを防止するという作用を有する。また、格子を製作するために大型のプレス機を使用する必要がないため、商品を安価に製作できるという作用を有する。
【００３６】
また、フィルター外枠とフィルター内枠との係合は、一端にヒンジを設けて、他方に係止具を設けたので、フィルター外枠とフィルター内枠を係合する時、ヒンジによって回動させて、係止具によって係合させるため、ねじや工具を用いないでフィルター交換ができるのでメンテナンスが容易である。また、ねじを用いないので、メンテナンスの際にねじを紛失する心配もないので、確実にメンテナンス作業ができるという作用を有する。
【００３７】
また、フィルターユニットの外周部に、摺動性のある摺動部材を設けたので、フィルターユニットを枠体から引き出す際に、フィルターユニットの外周部の摺動部材と枠体とは滑らかに滑るので枠体からフィルターユニットを取り外す際、擦り傷が発生するのを防止できるので、換気扇取付装置の塗装に傷がつくことがなく、錆の発生防止することができるという作用を有する。
【００３８】
また、枠体の周囲方向の面に、電線を取り出す引出穴を設けたので、枠体の側面の引出穴から、例えば電気式シャッター等の電線を取り出だせるという作用を有する。
【００３９】
また、枠体の周囲に穴を設け、前記穴の出口側には枠体と着脱自在する箱を設けたことにより、フィルターが空気中の水分を捕集する際、フィルターが水分を捕集する許容量を超えた場合でも、水分を箱に貯めることができ、箱に溜まった水分を枠体から箱を取り外して、箱の中の水分を捨てることができるので、枠体から水分が滴下するのを防止することができるという作用を有する。
【００４０】
また、箱の表面に、透明な窓を設けたことにより、箱を外さない状態で、常に箱にたまった水分の量を見ることができるので、水分が箱からあふれる前に捨てることができるという作用を有する。
【００４１】
以下、本発明の実施の形態について、図面を参照しながら説明する。
【００４２】
（実施の形態１）
図１から図４に示すように、建物の室内１側の壁２に設けられて外周にフランジ３を有した箱状の枠体４と、枠体４の周囲方向の面５には開口部６を有し、前面には換気扇取付窓部７とボルト８を有し、枠体４の内部にはフィルターユニット９を有し、枠体４の周囲からフィルターユニット９が着脱自在とした換気扇取付装置１０の構成としている。また、建物の壁２には貫通孔１１が設けられ、貫通孔１１を連通するように換気扇取付装置１０が壁２に設置される。そして、枠体４に有したボルト８に換気扇１２を取り付け、ナット１３で固定される。
【００４３】
上記構成により、工場などの施設内では、工場内部の設備の稼働に伴って施設内の空気が汚染されることがある。たとえば塗装工場などで、塗装設備を稼働させると、施設内の空気が汚染される。このような場合には、換気扇１２を運転させて、施設内の空気を屋外１４に排出させて、施設内の空気をきれいにする。しかしながら、施設内の汚染空気をそのまま排出させると、屋外１４に汚染空気をまくことになり、屋外１４の環境汚染となるため、汚染空気は枠体４内のフィルターユニット９を通過する際に空気中の汚染物質を捕集し、汚染物質を除去し、施設内の汚染空気をきれいにして屋外１４に排出できる。一方、工場内で精密部品を製作する場合においては、屋外１４から空気を取り入れる際に、換気扇取付装置１０に設置された換気扇１２を運転し、換気扇取付装置１０内のフィルターユニット９で屋外１４の埃を除去して、きれいな空気にして施設内に取り入れて工場の生産を行う。この様な設備は工場を稼働している時間は必ず運転する必要があり、また、施設内をクリーンに保たせるためには、換気扇１２を常時運転する必要がある。このため、換気扇取付装置１０の内部のフィルターユニット９は比較的短い時間でフィルターが目詰まりしたり、劣化したりする。このようにフィルターの寿命がきたら、フィルターユニット９を交換することになる。フィルターユニット９を交換するときには、換気扇１２を外すことなしに、換気扇取付装置１０の枠体４の周囲方向の面５からフィルターユニット９を引き出して、新しいフィルターユニット９に取り換えたのち、再び枠体４の開口部６にフィルターユニット９を挿入し、フィルターユニット９の交換が行える。また、フィルター寿命よりは長いが、換気扇１２も長く使用していると寿命がきてしまうため、換気扇１２自体も交換する必要がある。換気扇１２を交換する場合には、換気扇取付装置１０に有しているボルト８からナット１３を緩めて外すことで、簡単に換気扇１２を換気扇取付装置１０から外すことができる。そして新しい換気扇１２をボルト８に引っ掛けて、ナット１３で再び締めることで簡単に換気扇１２の交換が行える。
【００４４】
ところで、このような施設内の壁２にはＨ鋼１５などが壁にむきだしではわせているケースが多く、Ｈ鋼１５などの障害物があるため、場合によっては換気扇取付装置１０を壁に設置しようとしても、フィルターユニット９が引き出せなくなってしまい、換気扇取付装置１０を他の場所に設置しなくてはならないというケースがある。たとえば図４のように壁２にはＨ鋼１５があり、換気扇取付装置１０が設置上Ｈ鋼１５の近傍に設置せざるを得ない場合がある。図４の場合では、フィルターユニット９を引き出す方向が右側しかない場合では、フィルターユニット９の引き出し方向を右にした状態で、換気扇取付装置１０を壁２に設置してボルト８に換気扇１２を取り付けることができる。また図には示さないが、換気扇取付装置１０の左右及び下側にＨ鋼１５などの障害物がある場合には、フィルターユニット９の引き出し方向を上になるようにして換気扇取付装置１０を壁２に設置すれば良い。このように換気扇取付装置１０を設置する際、建物の壁２の周囲に障害物があっても、換気扇取付装置１０の取付け向きを変えるだけで対応することができる。
【００４５】
このように本発明の実施の形態１の換気扇取付装置によれば、フィルターユニット９の交換の時、枠体４あるいは換気扇１２を外すことなく、フィルターユニット９の交換が行えるので、作業性が良く容易にフィルターユニット９を交換することができる。また、換気扇１２の交換が必要となる場合、フィルターユニット９あるいは枠体４を外すことなく換気扇１２を着脱して交換できるので作業性が良い。また、壁の周囲に障害物があっても、換気扇取付装置１０の設置の向きを変えることで、上下左右のどの方向からでもフィルターユニット９を引き出しできる。
【００４６】
（実施の形態２）
図５において、実施の形態１と同じ構成については同じ符号を用いその説明を省略する。フィルターユニット９に、枠体４の開口部６を塞ぐ蓋１６を設け、蓋１６と枠体４とを嵌合解除接続できるプラグ１７を設けた構成とする。蓋１６にはプラグ１７が挿入できるプラグ固定穴１８を有しており、また枠体４にはプラグ固定穴１８より大きい径の嵌合穴１９を有している。そしてプラグ１７は蓋１６の表面側から、プラグ固定穴１８および嵌合穴１９に差し込まれることでフィルターユニット９の蓋１６が枠体４に固定される。そして蓋１６の表面側には取手２０が設けられている。
【００４７】
上記構成により、枠体４からフィルターユニット９を引き出す時は、プラグ１７の先端を引っ張ると、プラグ１７は樹脂などの変形しやすい材質でできているため、プラグ１７のもう一端の引っ掛かり部２１が反り返ることで、プラグ１７の引っ掛かり部２１が嵌合穴１９から外れるため、蓋１６と枠体４の固定が解除される。そして、蓋１６に設けられた取手２０を引くことで、枠体４からフィルターユニット９を引き出して、寿命となったフィルターユニット９を交換することができる。そして、フィルターユニット９を再び枠体４に挿入する際には、フィルターユニット９を枠体４の開口部６に挿入し、プラグ１７を押すことで、プラグ１７が枠体４の嵌合穴１９に差し込まれるので、蓋１６と枠体４とを固定することができる。
【００４８】
このように本発明の実施の形態２の換気扇取付装置によれば、枠体４とフィルターユニット９との取り外しを、工具を使うことなく、容易に行うことができる。
【００４９】
（実施の形態３）
図６において、実施の形態１、２と同じ構成については同じ符号を用いその説明を省略する。開口部６の周辺に、蓋１６の厚み分が収納できる隙間を有した蓋はさみ治具２２を複数個設け、フィルターユニット９の蓋１６に取手２０を設けた構成とする。
【００５０】
上記構成により、フィルターユニット９を枠体４から引き出す際には、フィルターユニット９の蓋１６に有した取手２０を回転方向にひねり、蓋はさみ具２２から蓋１６を解放させ、フィルターユニット９をスライドさせて引き出すことで、枠体４からフィルターユニット９を取り外すことができる。またフィルターユニット９を枠体４に再び挿入する際には、外した工程と逆の作業をすることで取り付けができる。すなわち枠体４の開口部６にフィルターユニット９を挿入し、取り外す時と逆の回転方向に回すことによって、蓋１６が蓋はさみ治具２２にはまりこむため、フィルターユニット９が枠体４に固定することができる。また、換気扇取付装置１０は高所についている場合が多く、そのため、フィルターの交換の際には、脚立を使い、脚立の上にのってフィルターユニット９を取り出す作業となっていた。このようにフィルターユニット９を枠体４から取り出す際に、片手だけで簡単に取り外しがでるため、高所でも安全にフィルターユニット９の着脱ができることとなる。
【００５１】
このように本発明の実施の形態３の換気扇取付装置によれば、フィルターユニット９を枠体４から外す時、取手２０を持って、ひねり、スライドして引き出すことにより枠体４からフィルターユニット９を取り外し片手でフィルターユニット９を取り外すことができるので、フィルターユニット９の交換作業性を向上させることができる。
【００５２】
（実施の形態４）
図７において、実施の形態１〜３と同じ構成については同じ符号を用いその説明を省略する。フィルターユニット９は、上部が開口したフィルター外枠２３と、フィルター外枠２３と嵌合するフィルター内枠２４と、フィルター２５で構成されている。そして、フィルター外枠２３は蓋１６と固定されている。
【００５３】
また、フィルター外枠２３とフィルター内枠２４には、格子を有したフィルター押枠２６、２７を設けた構成とする。
【００５４】
上記構成により、フィルター２５が目詰まりなどによって、寿命となったとき、フィルター２５の交換が必要である。その交換作業は、まず、フィルターユニット９を枠体４から取り出し、フィルター内枠２４と、フィルター外枠２３とで固定されているねじ２８を外すことによって、フィルター内枠２４とフィルター外枠２３を外すことができる。そして、フィルター内枠２４とフィルター外枠２３との間にあるフィルター２５を取り出し、新品のフィルター２５をフィルター外枠２３の上に乗せて、フィルター内枠２４をフィルター２５の上にのせ、ねじ２８でフィルター内枠２４とフィルター外枠２３とを固定することで、フィルター２５がフィルター内枠２４とフィルター外枠２３によって押さえつけられて固定される。このように新品のフィルター２５をフィルターユニット９内に入れ替えることができる。
【００５５】
また、フィルター外枠２３にはフィルター押枠２６が設けられ、フィルター内枠２４にはフィルター押枠２７が設けられている。ねじ２８を締めることによりフィルター２５はフィルター押枠２６とフィルター押枠２７とで、面で挟まれて固定されている。換気扇１２の運転時にはフィルター２５に風圧がかかり、フィルター２５が変形する可能性がある。フィルター２５が変形すると、フィルター２５の耐久性が低下することがある。実施の形態４の構造はフィルター２５がフィルター押枠２６とフィルター押枠２７によって挟まれて固定されているので、換気扇１２の運転によってフィルター２５に風圧が加わってもフィルター２５が変形することがない。
【００５６】
このように本発明の実施の形態４の換気扇取付装置によれば、フィルター２５の寿命がきたときに、ユーザーは、フィルター２５だけを購入して交換すればよく、ユーザーでも簡単に交換作業ができるので、ユーザーにとって低コストでフィルター２５の交換がおこなえる。また、換気扇の風圧が加わっても、フィルター押枠２６とフィルター押枠２７によってフィルター２５の変形が抑えられるため、フィルター２５の耐久性が向上できる。
【００５７】
（実施の形態５）
図８において、実施の形態１〜４と同じ構成については同じ符号を用いその説明を省略する。フィルター押枠は、金属製の網２９、３０で構成する。
【００５８】
上記構成により、フィルター２５はフィルター外枠２３ａ側の網２９とフィルター内枠２４ａ側の網３０によって挟まれて固定されている。換気扇１２の運転時にはフィルター２５に風圧がかかり、フィルター２５が変形する可能性がある。フィルター２５が変形すると、フィルター２５の耐久性が低下することがある。実施の形態５の構造はフィルター２５が網２９と網３０によって挟まれて固定されているので、換気扇１２の運転によってフィルター２５に風圧が加わってもフィルター２５が変形することがない。
【００５９】
このように本発明の実施の形態５の換気扇取付装置によれば、フィルター２５の変形が抑えられるため、フィルター２５の耐久性が向上できることとなる。
【００６０】
（実施の形態６）
図９において、実施の形態１〜５と同じ構成については同じ符号を用いその説明を省略する。フィルター外枠２３ｂとフィルター内枠２４ｂとの係合は、フィルター外枠２３ｂとフィルター内枠２４ｂの一端３１にヒンジ３２を設けて、フィルター内枠２４ｂはヒンジ３２を中心に回動自在となり、フィルター外枠２３ｂとフィルター内枠２４ｂの一方の側部３３Ａ、３３Ｂには、フィルター外枠２３ａとフィルター内枠２４ａとが係止される一対の係止具３４Ａ、３４Ｂを設けた構成とする。
【００６１】
上記構成により、フィルター２５をフィルターユニット９から取り出す際には、フィルター外枠２３ｂとフィルター内枠２４ｂを係合している係止具３４Ａ、３４Ｂを外し、フィルター内枠２４ｂをヒンジ３２を中心に回動させて、フィルター内枠２４ｂを開けて、フィルター２５を取り出す。そして、新品のフィルター２５をフィルター外枠２３ｂの上に乗せて、フィルター内枠２４ｂをヒンジ３２を中心に回動させて閉め、係止具３４Ａ、３４Ｂによってフィルター内枠２４ｂとフィルター外枠２３ｂとが容易に開かないように係止される。ユーザーはフィルター２５の寿命がきたとき、フィルター２５を交換するために、フィルターユニット９からフィルター２５を着脱させる際に、工具なしで行えるので、フィルター２５の交換の作業が容易に行える。
【００６２】
このように本発明の実施の形態６の換気扇取付装置によれば、工具を用いないでフィルター２５の交換ができるので、メンテナンスの向上を図ることができる。
【００６３】
（実施の形態７）
図１０において、実施の形態１〜６と同じ構成については同じ符号を用いその説明を省略する。フィルターユニット９の外周部３５に、摺動性のある摺動部材３６を設けた構成とする。
【００６４】
上記構成により、フィルターユニット９を取り出す際には、フィルターユニット９の外周部３５には摺動部材３６が枠体４の内側面３７に擦れながら、フィルターユニット９が枠体４から引き出される。このとき、フィルターユニット９の外周部３５には摩擦性の良い摺動部材３６が設けてあるので、摺動部材３６と枠体４の内側面３７が擦れても、枠体４の内側に傷がつくことがない、そのため、枠体４に塗装が処理されたとしても塗膜が剥がれることがないので、塗装が剥がれることによって枠体が空気中の水分等で錆びることを防止できる。
【００６５】
このように本発明の実施の形態７の換気扇取付装置によれば、枠体４からフィルターユニット９を取り外す際、擦り傷が発生するのを防止できるので、換気扇取付装置の塗装に傷がつくことがなく、錆の発生防止することができる。
【００６６】
なお、摺動部材３６は例えば、フェルトなどがあげられる。摺動部材３６は摺動性に優れている材質であればどのような材質でもよく、また摺動部材３６は枠体４の内側面３７側に設けても本来の作用効果に差異はない。
【００６７】
（実施の形態８）
図１１において、実施の形態１〜７と同じ構成については同じ符号を用いその説明を省略する。枠体４の周囲方向の面５ａに、電線を取り出す引出穴３８を設けた構成とする。
図１１は換気扇取付装置１０に換気扇１２が設置されたものである。換気扇１２の停止時、屋外１４で雨が降っているとき、屋外１４から室内１に風雨が侵入しないようにするためには、換気扇取付装置１０の屋外１４側にシャッター３９を取り付けるのが望ましい。さらに、シャッター３９は電気式シャッター３９Ａであれば、シャッター３９の駆動のための電線４０を換気扇１２の電線と連結することで、換気扇１２の運転・停止と同時に電気式シャッター３９Ａの開・閉を行えるため、ユーザーにとっては便利である。電気式シャッター３９Ａの電線４０は枠体４の周囲方向の面５ａの引出穴３８から室内１側に引き出すことが可能であり、引き出した電線４０は換気扇１２と連結することで換気扇１２と連動してシャッター開閉が行えることとなる。
【００６８】
上記構成により、電気式シャッター３９Ａを設置しても枠体４の面５ａの引出穴３８から電気式シャッター３９Ａの電線４０を引き出すことができるので換気扇１２と連動してシャッター３９の開閉ができる。またそれにより、屋外１４からの風雨の侵入を防ぐことができる。また、電気式シャッター３９Ａの電線を雨などがかかる屋外に設置することなく、屋内の接続部に接続することができる。
【００６９】
（実施の形態９）
図１２において、実施の形態１〜８と同じ構成については同じ符号を用いその説明を省略する。枠体４の周囲４１に穴４２を設け、穴４２の出口側には枠体４と着脱自在となる箱４３を設けた構成とする。
【００７０】
上記構成により、換気扇取付装置１０に設置した換気扇１２を運転するとフィルター２５に空気中の水分が付着し、その水分の付着量が多くなると、やがて枠体４の下方に水分が流れる。下方に流れた水分は穴４２から箱４３内に滴下し、箱４３に水分が貯まることとなる。このような状態になったときには、枠体４から箱４３を取り外して、箱４３の中の水分を捨てることができる。このように空気中の水分を箱４３に貯めることができ、ユーザーが水を捨てることができるので、枠体４から水分が漏れ出し換気扇取付装置１０の下に水が滴下するのを防ぐことができる。
【００７１】
このように本発明の実施の形態９の換気扇取付装置によれば、フィルター２５に付着した空気中の水分が枠体の下部に貯まるのを防止し、水分が多くなった場合、枠体４から水分が滴下するのを防止することができることとなる。
【００７２】
（実施の形態１０）
図１３において、実施の形態１〜９と同じ構成については同じ符号を用いその説明を省略する。箱４３ａの表面に、透明な窓４４を設けた構成とする。
【００７３】
上記構成により、箱４３の表面の透明な窓４４から、溜まった水分の量を把握することができる。
【００７４】
このように本発明の実施の形態１０の換気扇取付装置１０によれば、箱４３ａを外さない状態で、常に箱４３ａにたまった水分の量を見ることができるので、水分が箱４３ａからあふれる前に捨てることができる。
【産業上の利用可能性】
【００７５】
本発明にかかる換気扇取付装置は、フィルターの交換の時、枠体あるいは換気扇を外すことなく、フィルターの交換が行えるので、作業性良く容易にフィルターを交換することができるという効果があり、また換気扇を交換する際に蓋や、フィルター、枠体など換気扇以外のものを外すことなく換気扇の交換ができる換気扇取付装置を提供することができるという効果のある、建物の壁に設置される換気扇取付装置として有用である。
【図面の簡単な説明】
【００７６】
【図１】本発明の実施の形態１の換気扇取付装置の設置状態示す側面図
【図２】同換気扇取付装置の構成を示す斜視図
【図３】同換気扇取付装置の施工状態を示す斜視図
【図４】同換気扇取付装置の設置状態を示す正面図
【図５】本発明の実施の形態２の換気扇取付装置の構成を示す図（（ａ）正面図、（ｂ）嵌合解除・接続の拡大図）
【図６】本発明の実施の形態３の換気扇取付装置の構成を示す斜視図
【図７】本発明の実施の形態４の換気扇取付装置のフィルターユニットの構成を示す斜視図
【図８】本発明の実施の形態５の換気扇取付装置のフィルターユニットの構成を示す斜視図
【図９】本発明の実施の形態６の換気扇取付装置のフィルターユニットの構成を示す斜視図
【図１０】本発明の実施の形態７の換気扇取付装置の構成を示す斜視図
【図１１】本発明の実施の形態８の換気扇取付装置の設置状態を示す側面図
【図１２】本発明の実施の形態９の換気扇取付装置の構成を示す斜視図
【図１３】本発明の実施の形態１０の換気扇取付装置の箱を示す斜視図
【図１４】従来の換気扇取付装置の構成を示す側面図
【符号の説明】
【００７７】
１      室内
２      壁
３      フランジ
４      枠体
５      面
５ａ    面
６      開口部
７      換気扇取付窓部
８      ボルト
９      フィルターユニット
１０    換気扇取付装置
１６    蓋
１７    プラグ
２０    取手
２２    蓋はさみ治具
２３    フィルター外枠
２３ａ  フィルター外枠
２３ｂ  フィルター外枠
２４    フィルター内枠
２４ａ  フィルター内枠
２４ｂ  フィルター内枠
２５    フィルター
２６    フィルター押枠
２７    フィルター押枠
２９    網
３０    網
３１    一端
３２    ヒンジ
３４Ａ  係止具
３４Ｂ  係止具
３５    外周部
３６    摺動部材
３８    引出穴
４１    周囲
４２    穴
４３    箱
４３ａ  箱
４４    窓
【図１】
2010196941.tif 000003
【図２】
2010196941.tif 000004
【図３】
2010196941.tif 000005
【図４】
2010196941.tif 000006
【図５】
2010196941.tif 000007
【図６】
2010196941.tif 000008
【図７】
2010196941.tif 000009
【図８】
2010196941.tif 000010
【図９】
2010196941.tif 000011
【図１０】
2010196941.tif 000012
【図１１】
2010196941.tif 000013
【図１２】
2010196941.tif 000014
【図１３】
2010196941.tif 000015
【図１４】
2010196941.tif 000016